(57)【特許請求の範囲】
【請求項１】
スーパーヘテロダイン方式の受信機において、
中間周波段に設けられた、比較的通過帯域幅の広い広帯域フィルタおよび比較的通過帯域幅の狭い狭帯域フィルタと、
隣接妨害の発生を検知する隣接妨害検知手段と、
前記広帯域フィルタまたは狭帯域フィルタからの中間周波信号を選択的に出力する切換手段と、
前記隣接妨害検知手段の検知結果に応答し、前記切換手段に、前記隣接妨害が検知されているときには狭帯域フィルタからの中間周波信号を出力させ、前記隣接妨害が検知されていないときには広帯域フィルタからの中間周波信号を出力させる制御手段と、
復調信号ラインに介在され、音声信号の高域成分を減衰することができる周波数フィルタと、を有し、
前記制御手段は、切換手段を、広帯域フィルタ側から狭帯域フィルタ側へ切換えるときには、前記周波数フィルタに高域成分の緩やかな減衰を開始させ、所定の減衰量となった時点で切換えを行うことを特徴とする受信機。
【請求項２】
スーパーヘテロダイン方式の受信機において、
中間周波段に設けられた、比較的通過帯域幅の広い広帯域フィルタおよび比較的通過帯域幅の狭い狭帯域フィルタと、
隣接妨害の発生を検知する隣接妨害検知手段と、
前記広帯域フィルタまたは狭帯域フィルタからの中間周波信号を選択的に出力する切換手段と、
前記隣接妨害検知手段の検知結果に応答し、前記切換手段に、前記隣接妨害が検知されているときには狭帯域フィルタからの中間周波信号を出力させ、前記隣接妨害が検知されていないときには広帯域フィルタからの中間周波信号を出力させる制御手段と、
復調信号ラインに介在され、音声信号の高域成分を増強することができる周波数フィルタと、を有し、
前記制御手段は、切換手段を、狭帯域フィルタ側から広帯域フィルタ側へ切換えるときには、前記周波数フィルタに高域成分の緩やかな増強を開始させ、所定の増強量となった時点で切換えを行うとともに増強を解除することを特徴とする受信機。
【請求項３】
スーパーヘテロダイン方式の受信機において、
中間周波段に設けられた、比較的通過帯域幅の広い広帯域フィルタおよび比較的通過帯域幅の狭い狭帯域フィルタと、
隣接妨害の発生を検知する隣接妨害検知手段と、
前記広帯域フィルタまたは狭帯域フィルタからの中間周波信号を選択的に出力する切換手段と、
前記隣接妨害検知手段の検知結果に応答し、前記切換手段に、前記隣接妨害が検知されているときには狭帯域フィルタからの中間周波信号を出力させ、前記隣接妨害が検知されていないときには広帯域フィルタからの中間周波信号を出力させる制御手段と、
復調信号ラインに介在され、音声信号の高域成分を減衰することができる周波数フィルタと、を有し、
前記制御手段は、切換手段を、狭帯域フィルタ側から広帯域フィルタ側へ切換えるときには、前記周波数フィルタの高域成分が所定の減衰量である状態で切換えを行うとともに緩やかに減衰を解除してゆくことを特徴とする受信機。
【請求項４】
前記制御手段は、切換手段を、狭帯域フィルタ側から広帯域フィルタ側へ切換えるときには、前記周波数フィルタに高域成分の減衰を開始させ、所定の減衰量となった時点で切換えを行うことを特徴とする請求項３記載の受信機。
【発明の詳細な説明】
【０００１】
【産業上の利用分野】
本発明は、車載用のラジオ受信機として好適に実施される受信機に関し、特に受信すべき希望波の周波数に隣接する周波数の妨害波の影響を低減するようにした受信機に関する。
【０００２】
【従来の技術】
図１２は、典型的な従来技術のラジオ受信機１の電気的構成を示すブロック図である。アンテナ２で受信された受信信号は、同調回路３において、受信すべき希望波の周波数付近の信号成分のみが強調され、さらに高周波増幅回路４で増幅された後、混合回路５に入力される。この混合回路５に関連して、局部発振回路６が設けられている。前記局部発振回路６は、電圧制御形発振器などで実現され、フェイズロックループ（以下、「ＰＬＬ」と略称する）回路７からのチューニング電圧に対応した周波数の局部発振信号を出力する。
【０００３】
前記ＰＬＬ回路７は、マイクロコンピュータなどで実現される制御回路８から入力される前記希望波の周波数に対応した分周比Ｎで前記局部発振信号を分周する分周器と、予め定める基準周波数の基準信号を発生する基準信号源と、この基準信号と前記分周された局部発振信号との位相を比較してその差に対応した誤差出力を発生する比較器と、前記比較器からの誤差出力を直流電圧に平滑化して、前記チューニング電圧として、前記局部発振回路６および同調回路３に与えるフィルタとを備えて構成されている。したがって、受信周波数を変化するためには、制御回路８は前記Ｎ値を変化し、前記局部発振信号をそのＮ値で分周した信号と、前記基準信号との位相差が零となるようにチューニング電圧が変化し、こうして希望波の安定した受信が可能となる。
【０００４】
前記混合回路５は、上述のようにして得られた局部発振信号と、受信信号とを混合し、得られた中間周波信号は、音声信号成分が含まれる成分を濾波することができる広帯域フィルタ９を介して中間周波増幅回路１０に与えられる。前記広帯域フィルタ９の濾波帯域幅は、たとえば周波数変調放送を受信するときには、２８０ｋＨｚ程度に選ばれる。
【０００５】
前記中間周波増幅回路１０で増幅された中間周波信号は、狭帯域フィルタ１１を介して検波回路１２に与えられて音声信号が復調され、その音声信号は電力増幅器１３で増幅された後、スピーカ１４に与えられて音響化される。前記狭帯域フィルタ１１の濾波帯域幅は、周波数変調放送を受信するときには、１８０ｋＨｚ程度に選ばれる。
【０００６】
【発明が解決しようとする課題】
スーパーヘテロダイン方式の受信機において、中間周波段の帯域通過フィルタは、混合回路によって発生した高調波や、受信信号そのままのスルー成分などを除去するために設けられており、したがって広帯域である程、特に周波数変調放送に対しては周波数特性や歪特性が良好である。しかしながら、希望波の周波数に隣接した周波数の妨害波が存在するときには、その妨害波の成分を通過してしまうという問題がある。したがって受信状態が刻々と変化する車載用のラジオ受信機では、前記周波数特性および歪特性などを若干犠牲にしつつ、上述のように狭帯域フィルタ１１用いて妨害波の抑制を優先するように構成されている。
【０００７】
本発明の目的は、妨害波に対する特性を損なうことなく、復調信号の特性を改善することができる受信機を提供することである。
【００１１】
【課題を解決するための手段】
本発明は、スーパーヘテロダイン方式の受信機において、
中間周波段に設けられた、比較的通過帯域幅の広い広帯域フィルタおよび比較的通過帯域幅の狭い狭帯域フィルタと、
隣接妨害の発生を検知する隣接妨害検知手段と、
前記広帯域フィルタまたは狭帯域フィルタからの中間周波信号を選択的に出力する切換手段と、
前記隣接妨害検知手段の検知結果に応答し、前記切換手段に、前記隣接妨害が検知されているときには狭帯域フィルタからの中間周波信号を出力させ、前記隣接妨害が検知されていないときには広帯域フィルタからの中間周波信号を出力させる制御手段と、
復調信号ラインに介在され、音声信号の高域成分を減衰することができる周波数フィルタと、を有し、
前記制御手段は、切換手段を、広帯域フィルタ側から狭帯域フィルタ側へ切換えるときには、前記周波数フィルタに高域成分の緩やかな減衰を開始させ、所定の減衰量となった時点で切換えを行うことを特徴とする受信機である。
【００１２】
さらにまた本発明は、スーパーヘテロダイン方式の受信機において、
中間周波段に設けられた、比較的通過帯域幅の広い広帯域フィルタおよび比較的通過帯域幅の狭い狭帯域フィルタと、
隣接妨害の発生を検知する隣接妨害検知手段と、
前記広帯域フィルタまたは狭帯域フィルタからの中間周波信号を選択的に出力する切換手段と、
前記隣接妨害検知手段の検知結果に応答し、前記切換手段に、前記隣接妨害が検知されているときには狭帯域フィルタからの中間周波信号を出力させ、前記隣接妨害が検知されていないときには広帯域フィルタからの中間周波信号を出力させる制御手段と、
復調信号ラインに介在され、音声信号の高域成分を増強することができる周波数フィルタと、を有し、
前記制御手段は、切換手段を、狭帯域フィルタ側から広帯域フィルタ側へ切換えるときには、前記周波数フィルタに高域成分の緩やかな増強を開始させ、所定の増強量となった時点で切換えを行うとともに増強を解除することを特徴とする受信機である。
また本発明は、スーパーヘテロダイン方式の受信機において、
中間周波段に設けられた、比較的通過帯域幅の広い広帯域フィルタおよび比較的通過帯域幅の狭い狭帯域フィルタと、
隣接妨害の発生を検知する隣接妨害検知手段と、
前記広帯域フィルタまたは狭帯域フィルタからの中間周波信号を選択的に出力する切換手段と、
前記隣接妨害検知手段の検知結果に応答し、前記切換手段に、前記隣接妨害が検知されているときには狭帯域フィルタからの中間周波信号を出力させ、前記隣接妨害が検知されていないときには広帯域フィルタからの中間周波信号を出力させる制御手段と、
復調信号ラインに介在され、音声信号の高域成分を減衰することができる周波数フィルタと、を有し、
前記制御手段は、切換手段を、狭帯域フィルタ側から広帯域フィルタ側へ切換えるときには、前記周波数フィルタの高域成分が所定の減衰量である状態で切換えを行うとともに緩やかに減衰を解除してゆくことを特徴とする受信機である。
また本発明は、前記制御手段は、切換手段を、狭帯域フィルタ側から広帯域フィルタ側へ切換えるときには、前記周波数フィルタに高域成分の減衰を開始させ、所定の減衰量となった時点で切換えを行うことを特徴とする。
【００１７】
【作用】
本発明に従えば、スーパーヘテロダイン方式の受信機において、中間周波段に、比較的通過帯域幅の広い広帯域フィルタと、比較的通過帯域幅の狭い狭帯域フィルタとが設けられる。また隣接妨害が発生しているか否かを検知する隣接妨害検知手段が設けられる。さらに広帯域フィルタおよび狭帯域フィルタからの中間周波信号のいずれかを選択的に出力する切換手段が設けられる。
隣接妨害検知手段による検知結果は、制御手段に与えられる。制御手段は、隣接妨害検知手段の検知結果に応答して、隣接妨害が発生していないときには、広い通過帯域幅で中間周波信号を濾波し、周波数特性や歪特性などが良好な復調信号を得ることができる。これに対して隣接妨害が発生しているときには、前記周波数特性および歪特性などは若干犠牲にはなるけれども、狭い通過帯域幅で中間周波信号を濾波し、妨害特性の良好な復調信号を得ることができる。
さらに復調信号ラインに音声信号の高域成分を減衰することができる周波数フィルタが介在される。前記制御手段は、切換手段を広帯域フィルタ側から狭帯域フィルタ側へ切換えるとき、すなわちたとえば振幅変調波の場合には高域成分が低下してしまう場合には、周波数フィルタに高域成分の緩やかな減衰を開始させ、所定の減衰量となった時点で切換えを行う。これによって、違和感なく切換えを行うことができる。
【００１８】
また本発明に従えば、スーパーヘテロダイン方式の受信機において、中間周波段に、比較的通過帯域幅の広い広帯域フィルタと、比較的通過帯域幅の狭い狭帯域フィルタとが設けられる。また隣接妨害が発生しているか否かを検知する隣接妨害検知手段が設けられる。さらに広帯域フィルタおよび狭帯域フィルタからの中間周波信号のいずれかを選択的に出力する切換手段が設けられる。
隣接妨害検知手段による検知結果は、制御手段に与えられる。制御手段は、隣接妨害検知手段の検知結果に応答して、隣接妨害が発生していないときには、広い通過帯域幅で中間周波信号を濾波し、周波数特性や歪特性などが良好な復調信号を得ることができる。これに対して隣接妨害が発生しているときには、前記周波数特性および歪特性などは若干犠牲にはなるけれども、狭い通過帯域幅で中間周波信号を濾波し、妨害特性の良好な復調信号を得ることができる。
さらに復調信号ラインに音声信号の高域成分を増強することができる周波数フィルタが介在される。前記制御手段は、切換手段を狭帯域フィルタ側から広帯域フィルタ側へ切換えるときには、前記周波数フィルタに高域成分の緩やかな増強を開始させ、所定の増強量となった時点で切換えを行うとともに、増強を解除する。これによってフィルタ切換時における再生音響の違和感をなくすことができる。
【００１９】
本発明に従えば、スーパーヘテロダイン方式の受信機において、中間周波段に、比較的通過帯域幅の広い広帯域フィルタと、比較的通過帯域幅の狭い狭帯域フィルタとが設けられる。また隣接妨害が発生しているか否かを検知する隣接妨害検知手段が設けられる。さらに広帯域フィルタおよび狭帯域フィルタからの中間周波信号のいずれかを選択的に出力する切換手段が設けられる。
隣接妨害検知手段による検知結果は、制御手段に与えられる。制御手段は、隣接妨害検知手段の検知結果に応答して、隣接妨害が発生していないときには、広い通過帯域幅で中間周波信号を濾波し、周波数特性や歪特性などが良好な復調信号を得ることができる。これに対して隣接妨害が発生しているときには、前記周波数特性および歪特性などは若干犠牲にはなるけれども、狭い通過帯域幅で中間周波信号を濾波し、妨害特性の良好な復調信号を得ることができる。
さらに復調信号ラインに音声信号の高域成分を減衰することができる周波数フィルタが介在される。前記制御手段は、切換手段を狭帯域フィルタ側から広帯域フィルタ側へ切換えるときには、前記周波数フィルタの高域成分が所定の減衰量である状態で切換えを行うとともに緩やかに減衰を解除してゆく。これによってフィルタ切換時における再生音響の違和感をなくすことができる。
本発明に従えば、前記制御手段は、切換手段を狭帯域フィルタ側から広帯域フィルタ側へ切換えるときには、前記周波数フィルタに高域成分の減衰を開始させ、所定の減衰量となった時点で切換えを行う。これによってフィルタ切換時における再生音響の違和感をさらに好適になくすことができる。
【００２０】
【実施例】
図１は、本発明の一実施例のラジオ受信機２１の電気的構成を示すブロック図である。アンテナ２２で受信された受信信号は、同調回路２３において、受信すべき希望波の周波数付近の信号成分のみが強調され、さらに高周波増幅回路２４で増幅された後、混合回路２５に入力される。この混合回路２５に関連して、局部発振回路２６が設けられている。前記局部発振回路２６は、電圧制御形発振器などで実現され、ＰＬＬ回路２７からのチューニング電圧に対応した周波数の局部発振信号を出力する。
【００２１】
前記ＰＬＬ回路２７は、マイクロコンピュータなどで実現される制御回路２８から入力される前記希望波の周波数に対応した分周比Ｎで前記局部発振信号を分周する分周器と、予め定める基準周波数の基準信号を発生する基準信号源と、この基準信号と前記分周された局部発振信号との位相を比較してその差に対応した誤差出力を発生する比較器と、前記比較器からの誤差出力を直流電圧に平滑化して、前記チューニング電圧として、前記局部発振回路２６および同調回路２３に与えるフィルタとを備えて構成されている。したがって、受信周波数を変化するためには、制御回路２８は前記Ｎ値を変化し、前記局部発振信号をそのＮ値で分周した信号と、前記基準信号との位相差が零となるようにチューニング電圧が変化し、こうして希望波の安定した受信が可能となる。
【００２２】
前記混合回路２５は、上述のようにして得られた局部発振信号と、受信信号とを混合し、得られた中間周波信号は、音声信号成分が含まれる成分を濾波することができる広帯域フィルタ２９を介して中間周波増幅回路３０に与えられる。
【００２３】
前記中間周波増幅回路３０で増幅された中間周波信号は、縦続接続された広帯域フィルタ３１および狭帯域フィルタ３２を介して切換スイッチ３３の一方の個別接点３３ａに与えられるとともに、広帯域フィルタ３１のみを介して切換スイッチ３３の他方の個別接点３３ｂに与えられる。この切換スイッチ３３で後述するように選択された中間周波信号は、該切換スイッチ３３の共通接点３３ｃから検波回路３４に与えられて音声信号が復調され、さらに電力増幅器３５で増幅された後、スピーカ３６に与えられて音響化される。
【００２４】
前記広帯域フィルタ３１および狭帯域フィルタ３２からそれぞれ出力される中間周波信号は、レベル検波回路３７，３８において、その信号レベルが検出されて隣接妨害検知回路３９に与えられる。隣接妨害検知回路３９は、広帯域フィルタ３１のみを介するレベル検波回路３７からの出力レベルが、狭帯域フィルタ３２も介するレベル検波回路３８からの出力レベルに対して予め定める値以上大きいときには、希望波の周波数に隣接した周波数の妨害波のレベルが所定レベル以上であって隣接妨害が発生していると判断し、制御回路４０にその判定結果を出力する。制御回路４０は前記隣接妨害が発生しているときには、切換スイッチ３３を個別接点３３ａ側に導通し、隣接妨害が発生していないときには個別接点３３ｂ側に導通する。
【００２５】
すなわちたとえば、周波数変調放送を受信するときには、広帯域フィルタ２９，３１は、中心周波数が中間周波数に一致した１０．７ＭＨｚに選ばれ、濾波帯域幅が２８０ｋＨｚに選ばれている。これに対して狭帯域フィルタ３２は、前記１０．７ＭＨｚの中心周波数で、１８０ｋＨｚの通過帯域幅を有する。したがって狭帯域フィルタ３２からは、受信すべき希望波の中間周波成分のほぼ９９％が濾波されて出力されることになる。
【００２６】
したがって隣接妨害が発生しているときには、前記狭帯域フィルタ３２からの中間周波信号を選択することによって、妨害波の影響を抑えて希望波の音響化を行うことができる。また、隣接妨害が発生していないときには、広帯域フィルタ３１のみを介する中間周波信号を選択することによって、周波数特性や歪特性の良好な音響化を行うことができる。こうして、妨害波に対する特性を損なうことなく、復調信号の特性を改善することができる。
【００２７】
図２は本発明の他の実施例のラジオ受信機４１の電気的構成を示すブロック図であり、この実施例は前述の実施例に類似し、対応する部分には同一の参照符を付す。注目すべきはこの実施例では、検波回路３４に関連して中間周波信号レベルから受信信号レベルを検出するレベル検出回路４２が設けられている。このレベル検出回路４２は、ラジオ受信機４１が車載用であっても、通常生じ得る電界強度レベル変化よりも充分急峻な電界強度レベルの変化を生じたときには、マルチパスが発生しているものと判断する。
【００２８】
また、前記検波回路３４で復調された音声信号は歪検出回路４３に与えられており、この歪検出回路４３は、たとえば５３ｋＨｚの変調帯域よりも外側である１００ｋＨｚ付近に現れる高調波成分などからマルチパスの発生を検出する。したがって前記検出回路４２，４３は、マルチパスの検出回路４９として動作し、その検出結果は、制御回路５０に与えられる。これら２つの検出回路４２，４３の少なくともいずれか一方でマルチパスの発生が検知される。
【００２９】
制御回路５０に関連して選択スイッチ４４が設けられており、制御回路５０は、選択スイッチ４４の選択結果に対応して、隣接妨害またはマルチパスが検知されたときに、それぞれ切換スイッチ３３を狭帯域フィルタ３２側または広帯域フィルタ３１側に切換えるのか、もしくは両方が検知されたときにいずれを優先して切換えるべきかを選択する。
【００３０】
したがって、マルチパス発生時には、マルチパス成分が直接波の成分に合成されて変調帯域が広がってしまっているけれども、これを広帯域フィルタ３１のみを介する中間周波信号から復調することによって、狭帯域フィルタ３２を選択した場合に比べて、復調信号の歪を抑えることができる。
【００３１】
図３は、前記制御回路５０の具体的構成を示す電気回路図である。この制御回路５０は、反転バッファ４５と、ダイオード４６と、抵抗４７とを備えて構成されている。マルチパス検出回路４９からの出力は、反転バッファ４５で反転された後、逆方向に接続されたダイオード４６から前記選択スイッチ４４を経てライン５１を介して切換スイッチ３３に与えられる。これに対して隣接妨害検知回路３９の出力は、抵抗４７から前記ライン５１へ出力される。
【００３２】
したがって、選択スイッチ４４が遮断されているときには隣接妨害優先とされ、マルチパスの検出結果に拘らず、隣接妨害が検知されて隣接妨害検知回路３９がハイレベルの出力を導出すると、ライン５１はハイレベルとなって切換スイッチ３３は狭帯域フィルタ３２側に導通され、隣接妨害が検知されていないときにはライン５１はローレベルとなって切換スイッチ３３は広帯域フィルタ３１側に導通される。
【００３３】
これに対して選択スイッチ４４が導通されているときにはマルチパス妨害優先とされ、マルチパスが検出されていないときにはマルチパス検出回路４９はローレベルの出力を導出し、反転バッファ４５で反転されてダイオード４６には逆方向のバイアスが印加されて該ダイオード４６は遮断し、隣接妨害検知回路３９の出力がそのままライン５１に導出される。また、マルチパスが検出されているときには、ダイオード４６には順方向のバイアスが印加されて、隣接妨害検知回路３９からハイレベルの出力が導出されても該ダイオード４６は導通し、こうしてライン５１をローレベルとする。
【００３４】
このような隣接妨害優先時とマルチパス優先時とのそれぞれの切換出力を表１に示す。ただしこの表１において、入力側の、Ｈは隣接妨害またはマルチパスが検出されていることを表し、Ｌはそれらが検出されていないことを表し、また出力側において、Ｈは切換スイッチ３３が個別接点３３ａ、すなわち狭帯域フイルタ３２側に導通されることを表し、Ｌは個別接点３３ｂ側すなわち広帯域フィルタ３１側に導通されることを表す。
【００３５】
【表１】
0003825484.tif 000002
【００３６】
図４は本発明のさらに他の実施例のラジオ受信機６１の電気的構成を示すブロック図であり、前述の実施例に類似し、対応する部分には同一の参照符を付す。注目すべきはこの実施例では、検波回路３４からの復調音声信号は、トーン制御回路６２およびミュート回路６３を介して電力増幅器３５に与えられる。これらトーン制御回路６２およびミュート回路６３は、制御回路７０によって、その動作が後述するように制御される。
【００３７】
図５は、前記制御回路７０の具体的構成を示す電気回路図である。なおこの図４で示す実施例において、隣接妨害検知回路３９からは、レベル検波回路３７を介する広帯域フィルタ３１のみを介する受信信号レベルが、レベル検波回路３８を介する狭帯域フィルタ３２も介する受信信号レベルよりも予め定める値だけ大きくなって隣接妨害が検知されたときには、ローレベルの出力が導出されるものとする。また切換スイッチ３３も、ローレベルの入力が与えられると個別接点３３ａ側に導通し、ハイレベルの入力が与えられると個別接点３３ｂ側に導通するものとする。
【００３８】
前記隣接妨害検知回路３９からの出力は、抵抗Ｒ１とコンデンサＣ１とから成る積分回路６４を介して、比較器６５の非反転入力端子に入力されている。したがって、図６（１）で示すような隣接妨害検知回路３９からの出力に対して、比較器６５の入力は図６（２）で示すようになる。この比較器６５の反転入力端子には、予め定めるハイレベルの電圧＋Ｂが、抵抗Ｒ２，Ｒ３で分圧された基準電圧Ｖｔｈが入力されている。したがってこの比較器６５からは、図６（３）で示すように、積分回路６４の出力電圧が前記基準電圧Ｖｔｈ以上であるときにはハイレベルの出力が導出され、基準電圧Ｖｔｈ未満であるときにはローレベルの出力が導出される。こうして積分回路６４および比較器６５は遅延回路を構成し、前記隣接妨害検知回路３９からの出力が所定時間Ｔ１だけ遅延されて、切換信号として前記切換スイッチ３３に与えられる。
【００３９】
また前記隣接妨害検知回路３９からの出力は、抵抗Ｒ４とコンデンサＣ２とから成る積分回路６６から抵抗Ｒ５を介して、図６（４）で示すようなトーン制御信号として前記トーン制御回路６２に与えられる。また前記トーン制御信号には、前記比較器６５からの出力が図６（５）で示すように反転バッファＢ１で反転された後、抵抗Ｒ６を介して加算されて出力される。
【００４０】
したがって、前記トーン制御信号は、図６（６）で示すように、定常時には零レベルであり、時刻ｔ１で示す隣接妨害検知回路３９の出力がローレベル側に切換わったときには緩やかにローレベルに立下がり、時刻ｔ２で示す前記切換信号の切換わりタイミングと同時に零レベルへ復帰する。また、時刻ｔ３で示す前記隣接妨害検知回路３９からの出力がハイレベル側に切換わったときには緩やかにハイレベルに立上がり、前記切換信号の切換わりタイミングで零レベルへ復帰する。
【００４１】
なお、前記切換信号はミュート回路６３にも与えられている。このミュート回路６３は、たとえばトーン制御回路６２と電力増幅器３５とを結ぶラインが、減衰抵抗およびバイパストランジスタを介して接地ラインに接続されて構成されており、前記バイパストランジスタが導通することによって所定レベルだけ音声信号レベルを減衰するように構成されている。このミュート回路６３は、前記切換信号の立上がりエッジまたは立下がりエッジを検出すると、前記バイパストランジスタが導通し、切換スイッチ３３の切換わり時におけるいわゆるボツ音を防止するように設けられている。
【００４２】
図７は、トーン制御回路６２の具体的構成を示す電気回路図である。検波回路３４からの音声信号は、抵抗Ｒ１１とコンデンサＣ１１とから成るローパスフィルタ６７で高域成分が減衰された後、乗算器Ｍ１に与えられる。また前記音声信号は差動増幅器６８の非反転入力端子に入力されており、この差動増幅器６８の出力は帰還抵抗Ｒ１２を介して反転入力端子に帰還される。さらにまたこの差動増幅器６８の反転入力端子には、コンデンサＣ１２と抵抗Ｒ１３とから成る時定数回路６９が接続されている。したがってこの差動増幅器６８によって、前記音声信号は高域成分が増強された後、乗算器Ｍ２に入力される。
【００４３】
乗算器Ｍ２には前記トーン制御信号が直接入力されており、これに対して前記乗算器Ｍ１には前記トーン制御信号が反転バッファＢ２で反転された後入力される。乗算器Ｍ１，Ｍ２からの出力は、加算器Ｍ３で相互に加算された後ミュート回路６３に入力される。
【００４４】
したがって、図６（６）において時刻ｔ１〜ｔ２間で示すように、トーン制御信号のレベルが低下する程、乗算器Ｍ２の係数が小さくなり、これに対して乗算器Ｍ１の係数が大きくなって、図８において参照符α１からα２，α３で示すように高域成分が減衰された音声信号がミュート回路６３に入力されることになる。これに対して時刻ｔ３〜ｔ４間で示すように、トーン制御信号のレベルが高くなる程、乗算器Ｍ２の係数が大きくなり、かつ乗算器Ｍ１の係数が小さくなって、参照符β１からβ２，β３で示すように高域成分が増強された音声信号がミュート回路６３に入力される。
【００４５】
このようにして、切換スイッチ３３の狭帯域フィルタ３２側への切換えにあたって、予め時刻ｔ１からトーン制御回路６２によって高音域を減衰してゆき、減衰が終了した時刻ｔ２において実際に切換えを行い、これに対して広帯域フィルタ３１側に切換えられる高音域が増加するときには、予め時刻ｔ３からトーン制御回路６２によって高音域を増強してゆき、増強の終了した時刻ｔ４において実際に切換えを行うので、特に振幅変調放送の受信時に顕著な、切換えに対する音質の変化に対して、違和感を抑えることができる。
【００４６】
図９は本発明の他の実施例のトーン制御回路６２ａの具体的構成を示す電気回路図であり、図７で示すトーン制御回路６２に類似し、対応する部分には同一の参照符を付す。この実施例では、前記差動増幅器６８および時定数回路６９などから成る高域増強のための構成が省略されて、低コスト化が図られている。したがって検波回路３４からの音声信号は、乗算器Ｍ２に直接入力されている。
【００４７】
図１０は前記トーン制御回路６２ａを制御するための制御回路７０ａの具体的構成を示す電気回路図であり、図５で示す制御回路７０に対応する部分には同一の参照符を付す。この制御回路７０ａでは、前記図６（１）〜図６（３）と同様に、図１１（１）で示す隣接妨害検知回路３９からの出力に対して、積分回路６４からの出力が図１１（２）で示すように変化し、比較器６５からは図１１（３）で示すような切換信号が出力される。
【００４８】
一方、前記隣接妨害検知回路３９からの出力はまた、ＮＡＮＤゲート７２と排他的ＮＯＲゲート７３との一方の入力に共通に与えられている。また、ＮＡＮＤゲート７２および排他的ＮＯＲゲート７３の他方の入力には、前記比較器６５からの出力が共通に与えられている。排他的ＮＯＲゲート７３からの出力は、抵抗Ｒ２１とコンデンサＣ２１とから成る積分回路７４を介して、トーン制御信号として出力される。
【００４９】
前記抵抗Ｒ２１には、スイッチ７５とダイオードＤ１との直列回路が並列に接続されており、したがってスイッチ７５が導通すると、排他的ＮＯＲゲート７３側がハイレベルであるときには、ダイオードＤ１によって抵抗Ｒ２１がバイパスされる。前記スイッチ７５は、ＮＡＮＤゲート７２の出力によって切換制御される。すなわち、前記出力がハイレベルであるときには導通され、ローレベルであるときには遮断する。
【００５０】
上述のように構成された制御回路７０ａにおいて、図１１（１）で示すように時刻ｔ１１で隣接妨害検知回路３９からの出力がローレベルに立下がると、図１１（５）で示すように排他的ＮＯＲゲート７３からの出力もローレベルに立下がり、トーン制御信号は図１１（６）で示すように、緩やかにそのレベルが低下してゆく。またこのとき、図１１（４）で示すようにＮＡＮＤゲート７２からの出力もハイレベルとなってスイッチ７５は導通する。図１１（３）で示すように時刻ｔ１２において比較器６５からの切換信号がローレベルに立下がると、排他的ＮＯＲゲート７３からの出力はハイレベルとなって、図１１（６）で示すようにトーン制御信号は速やかに立上がる。
【００５１】
したがって、トーン制御回路６２ａから出力される音声信号は、時刻ｔ１１からその高音域が徐々に減衰されてゆき、その減衰量が所定のレベルとなった時刻ｔ１２において、狭帯域フィルタ３２への切換えと同時に、速やかに前記減衰が解除される。こうして違和感なく、前記フィルタ３１から３２への切換えを行うことができる。
【００５２】
これに対して切換スイッチ３３を狭帯域フィルタ３２側から広帯域フィルタ３１側へ切換えるときには、図１１（１）で示すように時刻ｔ１３において隣接妨害検知回路３９からの出力がハイレベルに立上がると、排他的ＮＯＲゲート７３の出力が図１１（５）で示すように立下がり、図１１（６）で示すようにトーン制御信号のレベルが徐々に低下してゆく。
【００５３】
こうしてトーン制御回路６２ａによる高音域の減衰量が所定量となると、時刻ｔ１４において図１１（３）で示すように比較器６５からの出力が立上がり、図１１（５）で示すように排他的ＮＯＲゲート７３の出力も立上がる。しかしながら、このときＮＡＮＤゲート７２の出力はローレベルに立下がるので、スイッチ７５は遮断し、したがって図１１（６）で示すように、トーン制御信号は積分回路７４の時定数で緩やかに立上がってゆく。
【００５４】
したがって、トーン制御回路６２ａを介する音声信号は、前記時刻ｔ１３からその高音域が徐々に減衰されてゆき、時刻ｔ１４において切換スイッチ３３が広帯域フィルタ３１側に切換わって高音域の成分が増加するけれども、その増加分は時刻ｔ１３〜ｔ１４間の減衰によって予め補正されており、切換スイッチ３３の切換えが終了した時刻ｔ１４以後において、徐々に高音域の減衰量が減少されてゆく。このように高音域の成分が改善される狭帯域フィルタ３２から広帯域フィルタ３１への切換えにあたっては、まず予め高音域の成分を減衰させた後切換えを行い、徐々にその減衰量を減少してゆくので、比較的簡単な構成の前記トーン制御回路６２ａを用いても、違和感のない切換えを行うことができる。
【００５５】
本発明は、ラジオ放送に限らず、特に図１〜図４で示す実施例では、テレビジョン放送の受信機などにも好適に実施することができる。
【００５６】
【発明の効果】
以上のように本発明によれば、スーパーヘテロダイン方式の受信機において、中間周波段に、比較的通過帯域幅の広い広帯域フィルタと、比較的通過帯域幅の狭い狭帯域フィルタとが設けられる。また隣接妨害が発生しているか否かを検知する隣接妨害検知手段が設けられる。さらに広帯域フィルタおよび狭帯域フィルタからの中間周波信号のいずれかを選択的に出力する切換手段が設けられる。
隣接妨害検知手段による検知結果は、制御手段に与えられる。制御手段は、隣接妨害検知手段の検知結果に応答して、隣接妨害が発生していないときには、広い通過帯域幅で中間周波信号を濾波し、周波数特性や歪特性などが良好な復調信号を得ることができる。これに対して隣接妨害が発生しているときには、前記周波数特性および歪特性などは若干犠牲にはなるけれども、狭い通過帯域幅で中間周波信号を濾波し、妨害特性の良好な復調信号を得ることができる。
さらに復調信号ラインに音声信号の高域成分を減衰することができる周波数フィルタが介在される。前記制御手段は、切換手段を広帯域フィルタ側から狭帯域フィルタ側へ切換えるとき、すなわちたとえば振幅変調波の場合には高域成分が低下してしまう場合には、周波数フィルタに高域成分の緩やかな減衰を開始させ、所定の減衰量となった時点で切換えを行う。これによって、違和感なく切換えを行うことができる。
【００５７】
また本発明によれば、スーパーヘテロダイン方式の受信機において、中間周波段に、比較的通過帯域幅の広い広帯域フィルタと、比較的通過帯域幅の狭い狭帯域フィルタとが設けられる。また隣接妨害が発生しているか否かを検知する隣接妨害検知手段が設けられる。さらに広帯域フィルタおよび狭帯域フィルタからの中間周波信号のいずれかを選択的に出力する切換手段が設けられる。
隣接妨害検知手段による検知結果は、制御手段に与えられる。制御手段は、隣接妨害検知手段の検知結果に応答して、隣接妨害が発生していないときには、広い通過帯域幅で中間周波信号を濾波し、周波数特性や歪特性などが良好な復調信号を得ることができる。これに対して隣接妨害が発生しているときには、前記周波数特性および歪特性などは若干犠牲にはなるけれども、狭い通過帯域幅で中間周波信号を濾波し、妨害特性の良好な復調信号を得ることができる。
さらに復調信号ラインに音声信号の高域成分を増強することができる周波数フィルタが介在される。前記制御手段は、切換手段を狭帯域フィルタ側から広帯域フィルタ側へ切換えるときには、前記周波数フィルタに高域成分の緩やかな増強を開始させ、所定の増強量となった時点で切換えを行うとともに、増強を解除する。これによってフィルタ切換時における再生音響の違和感をなくすことができる。
【００５８】
また本発明によれば、スーパーヘテロダイン方式の受信機において、中間周波段に、比較的通過帯域幅の広い広帯域フィルタと、比較的通過帯域幅の狭い狭帯域フィルタとが設けられる。また隣接妨害が発生しているか否かを検知する隣接妨害検知手段が設けられる。さらに広帯域フィルタおよび狭帯域フィルタからの中間周波信号のいずれかを選択的に出力する切換手段が設けられる。
隣接妨害検知手段による検知結果は、制御手段に与えられる。制御手段は、隣接妨害検知手段の検知結果に応答して、隣接妨害が発生していないときには、広い通過帯域幅で中間周波信号を濾波し、周波数特性や歪特性などが良好な復調信号を得ることができる。これに対して隣接妨害が発生しているときには、前記周波数特性および歪特性などは若干犠牲にはなるけれども、狭い通過帯域幅で中間周波信号を濾波し、妨害特性の良好な復調信号を得ることができる。
さらに復調信号ラインに音声信号の高域成分を減衰することができる周波数フィルタが介在される。前記制御手段は、切換手段を狭帯域フィルタ側から広帯域フィルタ側へ切換えるときには、前記周波数フィルタの高域成分が所定の減衰量である状態で切換えを行うとともに緩やかに減衰を解除してゆく。これによってフィルタ切換時における再生音響の違和感をなくすことができる。
【００５９】
また本発明によれば、前記制御手段は、切換手段を狭帯域フィルタ側から広帯域フィルタ側へ切換えるときには、前記周波数フィルタに高域成分の減衰を開始させ、所定の減衰量となった時点で切換えを行う。これによってフィルタ切換時における再生音響の違和感をさらに好適になくすことができる。
【図面の簡単な説明】
【図１】本発明の一実施例のラジオ受信機２１の電気的構成を示すブロック図である。
【図２】本発明の他の実施例のラジオ受信機４１の電気的構成を示すブロック図である。
【図３】前記ラジオ受信機４１に用いられる制御回路５０の具体的構成を示す電気回路図である。
【図４】本発明のさらに他の実施例のラジオ受信機６１の電気的構成を示すブロック図である。
【図５】前記ラジオ受信機６１に用いられる制御回路７０の具体的構成を示す電気回路図である。
【図６】前記制御回路７０の動作を説明するための波形図である。
【図７】前記ラジオ受信機６１に用いられるトーン制御回路６２の具体的構成を示す電気回路図である。
【図８】前記トーン制御回路６２の周波数特性を示すグラフである。
【図９】本発明の他の実施例のトーン制御回路６２ａの具体的構成を示す電気回路図である。
【図１０】前記トーン制御回路６２ａに対応する制御回路７０ａの具体的構成を示す電気回路図である。
【図１１】前記制御回路７０ａの動作を説明するための波形図である。
【図１２】典型的な従来技術のラジオ受信機１の電気的構成を示すブロック図である。
【符号の説明】
２１，４１，６１  ラジオ受信機
２３  同調回路
２４  高周波増幅回路
２５  混合回路
２６  局部発振回路
２７  ＰＬＬ回路
２８  制御回路
２９，３１  広帯域フィルタ
３０  中間周波増幅回路
３２  狭帯域フィルタ
３３  切換スイッチ
３４  検波回路
３７，３８  レベル検波回路
３９  隣接妨害検知回路
４０，５０，７０，７０ａ  制御回路
４２  レベル検出回路
４３  歪検出回路
４４  選択スイッチ
４９  マルチパス検出回路
６２，６２ａ  トーン制御回路
６３  ミュート回路
【図１】
0003825484.tif 000003
【図２】
0003825484.tif 000004
【図３】
0003825484.tif 000005
【図４】
0003825484.tif 000006
【図５】
0003825484.tif 000007
【図６】
0003825484.tif 000008
【図７】
0003825484.tif 000009
【図８】
0003825484.tif 000010
【図９】
0003825484.tif 000011
【図１０】
0003825484.tif 000012
【図１１】
0003825484.tif 000013
【図１２】
0003825484.tif 000014